(57)【特許請求の範囲】
【請求項１】
平行に配置され、配置位置間に載置されたロール紙の外周面と当接することでロール紙を保持する複数の支持軸と、
前記複数の支持軸を軸支する支持部と、
前記複数の支持軸で保持された前記ロール紙の第１の側面および第２の側面を、前記支持軸側から挟み、前記ロール紙の回転の際の前記ロール紙の幅方向の移動を規制する規制部と、を備え、
前記規制部は、前記第１の側面から前記ロール紙を挟み込む第１の規制部材と、前記第２の側面から前記ロール紙を挟み込む第２の規制部材と、を含み、
前記第１の規制部材は、前記第１の側面と平行な第１の支軸と、前記第１の規制部材が前記第１の支軸を中心とする回転により前記第１の側面から前記ロール紙を挟むことを付勢する第１の弾性体と、を有し、
前記第２の規制部材は、前記第２の側面と平行な第２の支軸と、前記第２の規制部材が前記第２の支軸を中心とする回転により前記第２の側面から前記ロール紙を挟むことを付勢する第２の弾性体と、を有する
ことを特徴とするロール紙保持装置。
【請求項２】
前記規制部は、前記複数の支持軸のうち、前記ロール紙から引き出された媒体に印刷を行う印刷部に最も近い支持軸と、前記印刷部との間に設けられた
ことを特徴とする請求項１に記載のロール紙保持装置。
【請求項３】
請求項１または２に記載のロール紙保持装置と、
前記ロール紙から引き出された媒体に印刷を行う印刷部と
を備えたことを特徴とするプリンタ装置。
【発明の詳細な説明】
【技術分野】
【０００１】
本発明は、ロール紙保持装置およびプリンタ装置に関する。
【背景技術】
【０００２】
従来から、ロール紙を扱うプリンタ装置として、例えば、空港に設置される、搭乗券を印刷するチェックイン端末、空港カウンターにおいて預けられる手荷物に取り付けられるタグを印刷する装置などがある。【０００３】
このようなロール紙を扱うプリンタ装置として、例えば、図６および図７に示すように、ロール紙の中空の軸芯に挿通される支持軸の両端をベース部で支えることにより、ロール紙を保持するロール紙保持装置が提案されている。図６は、第１の従来技術にかかるロール紙保持装置を示す側面図である。図７は、第１の従来技術にかかるロール紙保持装置を示す平面図である。このような第１の従来技術にかかるロール紙保持装置の構成により、プリンタ装置本体でロール紙を所定の長さだけ引き込み、この引き込みに応じてロール紙が支持軸の周りを回転することで、ロール紙保持装置は、プリンタ装置本体に対してロール紙を供給することができる。【０００４】
ここで、第１の従来技術にかかるロール紙保持装置では、ロール紙を交換するたびに軸芯を保持する部品を付け替える手間があり、ロール紙を交換した際に、軸芯を保持する部品が使用済みロール紙とともに誤って廃却されるおそれがある。【０００５】
そこで、ロール紙を扱うプリンタ装置として、例えば、図８および図９に示すように、ロール紙の底部を２つのローラーで支持することによりロール紙を保持するロール紙保持装置がある。図８は、第２の従来技術にかかるロール紙保持装置を示す側面図である。図９は、第２の従来技術にかかるロール紙保持装置を示す平面図である。このような第２の従来技術にかかるロール紙保持装置の構成により、ロール紙保持装置において、紙切れによるロール紙の取り替え作業の際には、代替のロール紙をローラー上に載置するのみでよいので、容易に交換作業を行うことができる。
【先行技術文献】
【特許文献】
【０００６】
【特許文献１】特開２０１４−２４８４２２号公報
【発明の概要】
【発明が解決しようとする課題】
【０００７】
しかしながら、上述の第２の従来技術にかかるロール紙保持装置では、図１０に示すように、ロール紙を引き出していく中で、ロール紙保持装置の幅方向（図１０中の矢印Ｄ方向および矢印Ｅ方向）の範囲でロール紙のガタつきが発生するという問題がある。図１０は、第２の従来技術にかかるロール紙保持装置において発生する横ずれを示す平面図である。【０００８】
また、ロール紙保持装置では、引き出し変化やロール紙の巻き方によって、ロール紙の引き出しを行う中で、図１１および図１２に示すように、ロール紙の「巻き緩み」が発生する。図１１は、第２の従来技術にかかるロール紙保持装置において発生する巻き緩みを示す側面図である。図１２は、第２の従来技術にかかるロール紙保持装置において発生する巻き緩みを示す平面図である。【０００９】
そして、巻き緩みが発生した状態でさらにロール紙の引き出しを続けると、図１３および図１４に示すように、ロール紙の巻き弛みが発生していない箇所（ロール紙の中心部分など）がロール紙保持装置の幅方向（図１３中および図１４中の矢印Ｆ方向および矢印Ｇ方向）に移動する。このように、巻き緩みが発生している箇所とロール紙の巻き弛みが発生していない箇所との間に「横ずれ」が発生することで、双方の箇所の端面がロール紙保持装置の壁面と接触し、搬送負荷が増加して回転がロックする場合がある。図１３は、第２の従来技術にかかるロール紙保持装置において発生する横ずれを示す平面図である。図１４は、第２の従来技術にかかるロール紙保持装置において発生する横ずれを図１１のII−II断面から見た図である。すなわち、「巻き緩み」により、収容筐体の支持軸方向にロール紙の幅が拡がってロール紙の両端が収容筐体の両壁面に接触する「横ずれ」が発生し、ロール紙の引き出しに対する抵抗が大きくなってロール紙の引き出しが停止するロック状態が発生する場合がある。【００１０】
本願の開示技術は、上記に鑑みてなされたものであって、例えば、ロール紙の引き出しが停止するロック状態の発生を抑制するロール紙保持装置およびプリンタ装置を提供することを目的とする。
【課題を解決するための手段】
【００１１】
本願の開示技術の一例では、ロール紙保持装置は、例えば、平行に配置され、配置位置間に載置されたロール紙の外周面と当接することでロール紙を保持する複数の支持軸と、複数の支持軸を軸支する支持部と、複数の支持軸で保持されたロール紙の第１の側面および第２の側面を、支持軸側から挟み、ロール紙の回転の際のロール紙の幅方向の移動を規制する規制部を備える。規制部は、第１の側面からロール紙を挟み込む第１の規制部材と、第２の側面からロール紙を挟み込む第２の規制部材と、を含む。第１の規制部材は、第１の側面と平行な第１の支軸と、第１の規制部材が第１の支軸を中心とする回転により第１の側面からロール紙を挟むことを付勢する第１の弾性体と、を有する。第２の規制部材は、第２の側面と平行な第２の支軸と、第２の規制部材が第２の支軸を中心とする回転により第２の側面からロール紙を挟むことを付勢する第２の弾性体と、を有する。
【発明の効果】
【００１２】
本願の開示技術の一例によれば、例えば、ロール紙の引き出しが停止するロック状態の発生を抑制できる。
【図面の簡単な説明】
【００１３】
【図１】図１は、実施例にかかるロール紙保持装置を含むプリンタ装置を示す斜視図である。
【図２】図２は、実施例にかかるロール紙保持装置を示す側面図である。
【図３】図３は、実施例にかかるロール紙保持装置を示す平面図である。
【図４】図４は、実施例にかかるロール紙保持装置が有するガイド部を図２のＩ−Ｉ断面側から見た図である。
【図５】図５は、実施例にかかるロール紙保持装置にロール紙をセットした状態を図２のＩ−Ｉ断面側から見た図である。
【図６】図６は、第１の従来技術にかかるロール紙保持装置を示す側面図である。
【図７】図７は、第１の従来技術にかかるロール紙保持装置を示す平面図である。
【図８】図８は、第２の従来技術にかかるロール紙保持装置を示す側面図である。
【図９】図９は、第２の従来技術にかかるロール紙保持装置を示す平面図である。
【図１０】図１０は、第２の従来技術にかかるロール紙保持装置において発生する横ずれを示す平面図である。
【図１１】図１１は、第２の従来技術にかかるロール紙保持装置において発生する巻き緩みを示す側面図である。
【図１２】図１２は、第２の従来技術にかかるロール紙保持装置において発生する巻き緩みを示す平面図である。
【図１３】図１３は、第２の従来技術にかかるロール紙保持装置において発生する横ずれを示す平面図である。
【図１４】図１４は、第２の従来技術にかかるロール紙保持装置において発生する横ずれを図１１のII−II断面から見た図である。
【発明を実施するための形態】
【００１４】
以下に、本願の開示技術にかかるロール紙保持装置の実施例を図面に基づいて詳細に説明する。以下の実施例では、ＡＴＢ券（Automated  Ticket  &  Boarding  Pass）、レシート、手荷物タグなど、ロール状の感熱紙を引き出し（あるいは、繰り出し、もしくは搬送し）て、感熱紙に熱転写印字を行うエアライン向けサーマルプリンタ装置に付随するロール紙保持装置を例として説明する。しかし、以下の実施例によって、本願の開示技術が限定されるものではなく、本願の開示技術は、各種用途のロール紙保持装置に広く適用できる。また、各図面において符号を付与して図示して説明する各要素は、同一のものに対して同一の符号を付与している。そして、後出の要素の説明は、適宜省略する。
【００１５】
以下の実施例の説明で用いるＸＹＺ座標系は、図１などで示すように、ロール紙保持装置にロール紙を設置した状態でロール紙を引き出す方向の逆方向（ロール紙保持装置の正面視の奥行き方向）を、Ｘ軸の正方向とする。また、ロール紙保持装置にロール紙を設置した状態でロール紙保持装置を正面視した場合のロール紙の幅方向の左側（ロール紙保持装置の正面視の左側方向）を、Ｙ軸の正方向とする。また、ロール紙保持装置を正面視した場合のロール紙保持装置の底面からロール紙の頂点へ向かう方向（ロール紙保持装置の正面視の高さ方向）を、Ｚ軸の正方向とする。Ｘ，Ｙ，Ｚの各軸は、直交する。
【００１６】
また、以下の実施例で“上”“下”“左”“右”“前”“前面”“後”“背面”などと表記する場合は、図示における相対的な位置を示すに過ぎない。上述のＸＹＺ座標系では、“上”はＺ軸の正方向であり、“下”はＺ軸の負方向であり、“左”はＹ軸の正方向であり、“右”はＹ軸の負方向であり、“前”および“前面”はＸ軸の負方向であり、“後”および“背面”はＸ軸の正方向である。
【実施例】
【００１７】
［紙幣取扱装置の構成］
図１は、実施例にかかるロール紙保持装置を含むプリンタ装置を示す斜視図である。実施例にかかるプリンタ装置１０は、プリンタ部２０、ロール紙保持装置３３を有する。プリンタ部２０は、ロール紙保持装置３３により保持されたロール紙３０から媒体である連続紙を引き出して印字を行う装置である。なお、図１では、プリンタ部２０およびロール紙保持装置３３が一体となる形態を示すが、プリンタ部２０およびロール紙保持装置３３が別体であって、ロール紙３０をプリンタ部２０へ供給可能な位置にロール紙保持装置３３が配置された構成であってもよい。【００１８】
図２〜図５では、ロール紙保持装置３３について説明し、プリンタ部２０の説明および図示は省略する。【００１９】
図１に示すように、上部開放の箱状のロール紙保持装置３３に、Ｚ軸の正方向から負方向へ向かうように、ロール紙３０がセットされる。ロール紙３０は、ロール紙外周面３０ａ、左側面３０ｂ、右側面３０ｃ、ロール紙軸芯３０ｄを有する。ロール紙外周面３０ａは、ロール紙３０の感熱面である。ロール紙３０は、印刷面がロール紙外周面３０ａとなるように感熱紙などの媒体がロール紙軸芯３０ｄに巻き付けられたものである。【００２０】
図２は、実施例にかかるロール紙保持装置を示す側面図である。図３は、実施例にかかるロール紙保持装置を示す平面図である。図２は、ロール紙保持装置３３およびロール紙３０を、Ｙ軸の負方向から見た図である。図３は、ロール紙保持装置３３およびロール紙３０を、Ｚ軸の正方向から見た図である。図２に示すように、ロール紙保持装置３３は、載置されたロール紙３０を下方から支持し、かつ保持する２つのローラー３３ａ，３３ｂを有する。ローラー３３ａ，３３ｂは、ロール紙保持装置３３の幅（Ｙ軸）方向に沿って互いに平行である。【００２１】
図２および図３に示すように、ローラー３３ａは、ロール紙保持装置３３の底部付近で、支持部３５ａにより両端が軸支される。ローラー３３ｂは、ロール紙保持装置３３の底部付近で、支持部３５ｂにより両端が軸支される。そして、ローラー３３ａ，３３ｂは、ロール紙３０のロール紙外周面３０ａと接する外周面（図示せず）が、ロール紙３０からの紙の引き出しに伴うロール紙３０の図２中に示す回転方向への回転に応じて、支軸を中心に回転する。【００２２】
また、ロール紙保持装置３３は、バネ支持面３３ｃを有する。バネ支持面３３ｃは、ロール紙保持装置３３の内部に、後述のガイド部３４の左圧縮バネ３４ｂ−５および右圧縮バネ３４ｃ−５よりもＺ軸の正方向側の定位置に固定配置される。バネ支持面３３ｃは、左圧縮バネ３４ｂ−５および右圧縮バネ３４ｃ−５の圧縮によるＺ軸の正方向に向かう弾性力に対抗し、左圧縮バネ３４ｂ−５および右圧縮バネ３４ｃ−５の弾性力をＺ軸の負方向に向かう復原力に変換する。詳しくは後述するが、左圧縮バネ３４ｂ−５および右圧縮バネ３４ｃ−５には、バネ支持面３３ｃが圧縮による弾性力に対して反発することにより、圧縮状態から圧縮前の状態へ復元する復元力が発生する。【００２３】
また、ロール紙保持装置３３は、ガイド部３４を有する。図４は、実施例にかかるロール紙保持装置が有するガイド部を図２のＩ−Ｉ断面側から見た図である。図３および図４に示すように、ガイド部３４は、ロール紙３０の左側面３０ｂと当接する左ガイド部３４−１、ロール紙３０の右側面３０ｃと当接する右ガイド部３４−２を有する。【００２４】
左ガイド部３４−１および右ガイド部３４−２は、後述するように、ロール紙保持装置３３の幅（Ｙ軸）の正方向および負方向の両側から幅方向に可動する。左ガイド部３４−１および右ガイド部３４−２は、ロール紙３０を保持するローラー３３ａよりもプリンタ部２０側に配置されている。【００２５】
図４に示すように、左ガイド部３４−１は、左壁面部３４ｂ−１、左当接部３４ｂ−２、左底面部３４ｂ−３、左支軸３４ｂ−４、左圧縮バネ３４ｂ−５を有する。左壁面部３４ｂ−１と左底面部３４ｂ−３は、Ｌ字型に直交する。左壁面部３４ｂ−１は、ロール紙３０の左側面３０ｂと略平行に位置する。左当接部３４ｂ−２は、左壁面部３４ｂ−１の上部に設けられて左側面３０ｂと当接する。左底面部３４ｂ−３は、左圧縮バネ３４ｂ−５を下方から支持する。左支軸３４ｂ−４は、Ｘ軸と平行な軸である。【００２６】
また、右ガイド部３４−２は、右壁面部３４ｃ−１、右当接部３４ｃ−２、右底面部３４ｃ−３、右支軸３４ｃ−４、右圧縮バネ３４ｃ−５を有する。右壁面部３４ｃ−１と右底面部３４ｃ−３は、Ｌ字型に直交する。右壁面部３４ｃ−１は、ロール紙３０の右側面３０ｃと略平行に位置する。右当接部３４ｃ−２は、右壁面部３４ｃ−１の上部に設けられて右側面３０ｃと当接する。右底面部３４ｃ−３は、右圧縮バネ３４ｃ−５を下方から支持する。右支軸３４ｃ−４は、Ｘ軸と平行な軸である。【００２７】
左圧縮バネ３４ｂ−５は、左ガイド部３４−１の左壁面部３４ｂ−１および左当接部３４ｂ−２が、左支軸３４ｂ−４を中心とする回転により図４中の矢印Ａ方向へ回転すると、左底面部３４ｂ−３の左支軸３４ｂ−４を中心とする回転により図４中の矢印Ｂ方向へ圧縮される。しかし、左圧縮バネ３４ｂ−５は、バネ支持面３３ｃにより、図４中の矢印Ｃ方向へ反発しようとする。【００２８】
同様に、右圧縮バネ３４ｃ−５は、右ガイド部３４−２の右壁面部３４ｃ−１および右当接部３４ｃ−２が、右支軸３４ｃ−４を中心とする回転により図４中の矢印Ａ’方向へ回転すると、右底面部３４ｃ−３の右支軸３４ｃ−４を中心とする回転により図４中の矢印Ｂ方向へ圧縮される。しかし、右圧縮バネ３４ｃ−５は、バネ支持面３３ｃにより、図４中の矢印Ｃ方向へ反発しようとする。【００２９】
すなわち、図４に示す左壁面部３４ｂ−１および左当接部３４ｂ−２と、右壁面部３４ｃ−１および右当接部３４ｃ−２との間にロール紙３０をセットする際には、左当接部３４ｂ−２および右当接部３４ｃ−２の互いに対向する各面が対向方向に隆起しているので、左当接部３４ｂ−２および右当接部３４ｃ−２の間を押し広げることになる。【００３０】
その際、上述のように、左壁面部３４ｂ−１および左当接部３４ｂ−２が左支軸３４ｂ−４を中心として図４中の矢印Ａ方向へ回転して左圧縮バネ３４ｂ−５が図４中の矢印Ｂ方向へ圧縮され、右壁面部３４ｃ−１および右当接部３４ｃ−２が右支軸３４ｃ−４を中心として図４中の矢印Ａ’方向へ回転して右圧縮バネ３４ｃ−５が図４中の矢印Ｂ方向へ圧縮される。【００３１】
しかし、左圧縮バネ３４ｂ−５および右圧縮バネ３４ｃ−５がバネ支持面３３ｃにより図４中の矢印Ｃ方向へ反発して、左ガイド部３４−１および右ガイド部３４−２を付勢しようとするため、左壁面部３４ｂ−１および左当接部３４ｂ−２が左支軸３４ｂ−４を中心として図４中の矢印Ａ’方向へ回転してロール紙３０の左側面３０ｂと当接し、右壁面部３４ｃ−１および右当接部３４ｃ−２が右支軸３４ｃ−４を中心として図４中の矢印Ａ方向へ回転してロール紙３０の右側面３０ｃと当接する。すなわち、ロール紙３０がロール紙保持装置３３にセットされた状態では、ガイド部３４はロール紙３０の媒体幅に合わせて可動し、ロール紙３０に対し力を加えつつロール紙３０に当接する。【００３２】
なお、ロール紙３０がロール紙保持装置３３にセットされていない状態では、左壁面部３４ｂ−１および左当接部３４ｂ−２が左支軸３４ｂ−４を中心として図４中の矢印Ａ’方向へ回転し、右壁面部３４ｃ−１および右当接部３４ｃ−２が右支軸３４ｃ−４を中心として図４中の矢印Ａ方向へ回転し、ロール紙３０の想定媒体幅（Ｙ軸方向）よりも狭い位置で止まる。【００３３】
これにより、図５に示すように、ロール紙３０をロール紙保持装置３３にセットすると、ロール紙３０は、左ガイド部３４−１および右ガイド部３４−２により、左側面３０ｂおよび右側面３０ｃの両側から挟まれて保持された状態となる。図５は、実施例にかかるロール紙保持装置にロール紙をセットした状態を図２のＩ−Ｉ断面側から見た図である。【００３４】
よって、ガイド部３４がロール紙３０の媒体幅に合わせて可動し、ロール紙３０に対し力を加えつつロール紙３０に当接するので、この状態でロール紙３０の引き出しを行うと、図２に示すようなロール紙３０の巻き緩み部分３０ｅ（図２参照）は発生するものの、ロール紙３０の巻き緩み部分３０ｅと、巻き緩み部分３０ｅ以外の箇所とが「横ずれ」することがガイド部３４によって抑制される。そして、ロール紙３０の左側面３０ｂおよび右側面３０ｃの両端面がロール紙保持装置３３の内壁面と接触することが抑制される。ゆえに、ロール紙３０の左側面３０ｂおよび右側面３０ｃの両端面がロール紙保持装置３３の内壁面と接触することによる搬送負荷の増加によりロール紙の引き出しの回転がロックすることを防止できる。【００３５】
すなわち、実施例によれば、ロール紙保持装置において、ロール紙の底部を２つのローラーで支持することによりロール紙を保持する方式を採用してロール紙の交換作業を容易に行うことを可能にしつつ、ロール紙の引き出しにより発生する巻き緩みの影響によるロール紙の搬送ロックを回避することができるという、利便性と可用性の両立を図ることができる。【００３６】
［実施例の変形例］
（圧縮バネについて）
ロール紙保持装置３３において、左圧縮バネ３４ｂ−５および右圧縮バネ３４ｃ−５に代えて、各種の弾性体を用いてもよい。また、左圧縮バネ３４ｂ−５および右圧縮バネ３４ｃ−５は、省略されてもよく、左ガイド部３４−１および右ガイド部３４−２が所定位置、例えばロール紙３０の想定媒体幅と同等の位置または想定媒体幅よりも狭い位置で固定されてもよい。【００３７】
（ガイド部の位置について）
また、ロール紙保持装置３３において、左ガイド部３４−１および右ガイド部３４−２は、ロール紙３０を保持するローラー３３ａよりもプリンタ部２０側の位置に限らず、ローラー３３ａ，３３ｂの間の位置、ローラー３３ｂよりもプリンタ部２０から離れた側の位置に配置されてもよい。【００３８】
（ロール紙について）
また、ロール紙３０は、感熱紙ではない普通紙のロール紙、ラベル紙のロール紙などであってもよい。また、ロール紙保持装置３３において、ロール紙外周面３０ａは、ロール紙３０の感熱面に限らず、感熱面の反対面であってもよい。【００３９】
（ローラーについて）
また、ロール紙保持装置３３において、ローラーはローラー３３ａ，３３ｂの２つに限らず、３つ以上の複数のローラーが設けられてもよい。また、ロール紙保持装置３３において、ローラー３３ａ，３３ｂは、ロール紙３０の引き出しがスムーズに行われる程度の摩擦係数を有する、例えば金属や樹脂などの軸棒を用いて形成されてもよい。【００４０】
以上の実施例で例示した各部の構成は、開示の技術に係る搬送方向切替装置および紙幣取扱装置の技術範囲を逸脱しない程度に変更または省略可能である。また、実施例は例示に過ぎず、発明の開示の欄に記載の態様を始めとして、当業者の知識に基づいて種々の変形、改良を施した他の態様も、開示の技術に含まれる。
【符号の説明】
【００４１】
１０  プリンタ装置
２０  プリンタ部
３０  ロール紙
３０ａ  ロール紙外周面
３０ｂ  左側面
３０ｃ  右側面
３０ｄ  ロール紙軸芯
３３  ロール紙保持装置
３３ａ，３３ｂ  ローラー
３３ｃ  バネ支持面
３４  ガイド部
３４−１  左ガイド部
３４ｂ−１  左壁面部
３４ｂ−２  左当接部
３４ｂ−３  左底面部
３４ｂ−４  左支軸
３４ｂ−５  左圧縮バネ
３４−２  右ガイド部
３４ｃ−１  右壁面部
３４ｃ−２  右当接部
３４ｃ−３  右底面部
３４ｃ−４  右支軸
３４ｃ−５  右圧縮バネ
【図１】
0006634165.tif 000002
【図２】
0006634165.tif 000003
【図３】
0006634165.tif 000004
【図４】
0006634165.tif 000005
【図５】
0006634165.tif 000006
【図６】
0006634165.tif 000007
【図７】
0006634165.tif 000008
【図８】
0006634165.tif 000009
【図９】
0006634165.tif 000010
【図１０】
0006634165.tif 000011
【図１１】
0006634165.tif 000012
【図１２】
0006634165.tif 000013
【図１３】
0006634165.tif 000014
【図１４】
0006634165.tif 000015